(57)【特許請求の範囲】
【請求項１】
無線通信システムにおける基地局（ＢＳ）の中央ユニット（ＣＵ）によりＱｏＳフロー対ＤＲＢマッピング規則を修正する方法であって、
前記ＱｏＳフロー対ＤＲＢマッピング規則を修正するステップと、
ＲＤＩ（ｒｅｆｌｅｃｔｉｖｅ  ＱｏＳ  ｆｌｏｗ  ｔｏ  ＤＲＢ  ｍａｐｐｉｎｇ  ｉｎｄｉｃａｔｉｏｎ）に基づいて、前記修正されたＱｏＳフロー対ＤＲＢマッピング規則が反射マッピングと関連しているかどうかを判断するステップと、
前記修正されたＱｏＳフロー対ＤＲＢマッピング規則が前記反射マッピングと関連していないとの決定に基づいて、前記修正されたＱｏＳフロー対ＤＲＢマッピング規則をユーザ端末（ＵＥ）に送信するステップと、を含み、
前記ＣＵは、中央ユニット−制御平面（ＣＵ−ＣＰ）及び少なくとも一つの中央ユニット−ユーザ平面（ＣＵ−ＵＰ）を含み、
前記修正されたＱｏＳフロー対ＤＲＢマッピング規則は、前記ＣＵ−ＣＰから前記少なくとも一つのＣＵ−ＵＰに送信され、
前記修正されたＱｏＳフロー対ＤＲＢマッピング規則が前記反射マッピングと関連しているとの決定に基づいて、前記修正されたＱｏＳフロー対ＤＲＢマッピング規則は、前記ＵＥに送信されない、マッピング規則を修正する方法。
【請求項２】
前記ＣＵ−ＣＰは、前記ＣＵのＲＲＣ及びＰＤＣＰプロトコルの制御平面部分をホスティングする論理ノードであり、
前記少なくとも一つのＣＵ−ＵＰは、前記ＣＵのＰＤＣＰプロトコルのユーザ平面部分及びＳＤＡＰプロトコルをホスティングする論理ノードである、請求項１に記載のマッピング規則を修正する方法。
【請求項３】
前記ＱｏＳフロー対ＤＲＢマッピング規則を修正するための情報は、前記少なくとも一つのＣＵ−ＵＰから前記ＣＵ−ＣＰに送信される、請求項１に記載のマッピング規則を修正する方法。
【請求項４】
前記ＱｏＳフロー対ＤＲＢマッピング規則は、前記情報に基づいて前記ＣＵ−ＣＰにより修正される、請求項３に記載のマッピング規則を修正する方法。
【請求項５】
前記情報は、ＱｏＳ要求を満たさない少なくとも一つのＱｏＳフローを含む、請求項３に記載のマッピング規則を修正する方法。
【請求項６】
前記ＱｏＳフロー対ＤＲＢマッピング規則は、前記少なくとも一つのＱｏＳフローに基づいて前記ＣＵ−ＣＰにより修正される、請求項５に記載のマッピング規則を修正する方法。
【請求項７】
前記修正されたＱｏＳフロー対ＤＲＢマッピング規則は、前記ＢＳの分散ユニット（ＤＵ）を介して前記ＵＥに送信される、請求項１に記載のマッピング規則を修正する方法。
【請求項８】
前記修正されたＱｏＳフロー対ＤＲＢマッピング規則は、ＤＬ  ＲＲＣメッセージ送信メッセージに含まれることによって前記ＤＵに送信される、請求項７に記載のマッピング規則を修正する方法。
【請求項９】
前記修正されたＱｏＳフロー対ＤＲＢマッピング規則は、ＲＲＣ再構成メッセージに含まれることによって前記ＵＥに送信される、請求項７に記載のマッピング規則を修正する方法。
【請求項１０】
無線通信システムにおけるＱｏＳフロー対ＤＲＢマッピング規則を修正する基地局（ＢＳ）の中央ユニット（ＣＵ）であって、
送受信機と、
少なくとも一つのプロセッサと、
前記少なくとも一つのプロセッサに動作可能に連結されることができ、実行時に前記少なくとも一つのプロセッサが動作を実行するようにする命令を格納する少なくとも一つのコンピュータメモリと、を含み、
前記動作は、
前記ＱｏＳフロー対ＤＲＢマッピング規則を修正する動作と、
ＲＤＩ（ｒｅｆｌｅｃｔｉｖｅ  ＱｏＳ  ｆｌｏｗ  ｔｏ  ＤＲＢ  ｍａｐｐｉｎｇ  ｉｎｄｉｃａｔｉｏｎ）に基づいて、前記修正されたＱｏＳフロー対ＤＲＢマッピング規則が反射マッピングと関連しているかどうかを判断する動作と、
前記修正されたＱｏＳフロー対ＤＲＢマッピング規則が前記反射マッピングと関連していないとの決定に基づいて、前記修正されたＱｏＳフロー対ＤＲＢマッピング規則をユーザ端末（ＵＥ）に送信する動作と、を含み、
前記ＣＵは、中央ユニット−制御平面（ＣＵ−ＣＰ）及び少なくとも一つの中央ユニット−ユーザ平面（ＣＵ−ＵＰ）を含み、
前記修正されたＱｏＳフロー対ＤＲＢマッピング規則は、前記ＣＵ−ＣＰから前記少なくとも一つのＣＵ−ＵＰに送信され、
前記修正されたＱｏＳフロー対ＤＲＢマッピング規則が前記反射マッピングと関連しているとの決定に基づいて、前記修正されたＱｏＳフロー対ＤＲＢマッピング規則は、前記ＵＥに送信されない、中央ユニット。
【発明の詳細な説明】
【技術分野】
【０００１】
本発明は、無線通信システムに関し、より詳しくは、無線通信システムにおける基地局（ＢＳ）の中央ユニット（ＣＵ）によりＱｏＳフロー対ＤＲＢマッピング規則を修正する方法及びこれをサポートする装置に関する。
【背景技術】
【０００２】
４Ｇ（４ｔｈ−Ｇｅｎｅｒａｔｉｏｎ）通信システム商用化以後、増加する無線データトラフィック需要を満たすために、改善された５Ｇ（５ｔｈ−Ｇｅｎｅｒａｔｉｏｎ）通信システムまたはｐｒｅ−５Ｇ通信システムを開発するための努力が行われている。このような理由で、５Ｇ通信システムまたはｐｒｅ−５Ｇ通信システムは、４Ｇネットワーク以後（ｂｅｙｏｎｄ  ４Ｇ  ｎｅｔｗｏｒｋ）通信システムまたはＬＴＥ（ｌｏｎｇ  ｔｅｒｍ  ｅｖｏｌｕｔｉｏｎ）システム以後（ｐｏｓｔ  ＬＴＥ）以後のシステムと呼ばれている。
【発明の概要】
【発明が解決しようとする課題】
【０００３】
一方、５Ｇ  ＮＲにおいて、ｇＮＢ−ＣＵ−ＣＰ及びｇＮＢ−ＣＵ−ＵＰの分離が論議されている。ＣＵ−ＵＰは、ダウンリンク及びアップリンクの両方ともに対してＱｏＳフローとＤＲＢとの間のマッピング機能をサポートするＳＤＡＰプロトコルをホスティングするため、ＣＵ−ＵＰが現在状況、例えば、Ｆ１−Ｕ及び／またはＮＧ−Ｕ上でのダウンリンク及び／またはアップリンクトラフィックに基づいてＱｏＳフロー対ＤＲＢマッピング規則を修正することが可能である。一方、ＣＵ−ＵＰは、ダウンリンク及びアップリンクの両方ともに対してＱｏＳフローとＤＲＢとの間のマッピング機能をサポートするＳＤＡＰプロトコルをホスティングするが、現在状況に基づいてＱｏＳフロー対ＤＲＢマッピング規則を修正することをＣＵ−ＣＰに要求できる。ＣＵ−ＣＰは、ＱｏＳフロー対ＤＲＢマッピング規則を作ることができ、ＣＵ−ＵＰは、ＱｏＳフローとＤＲＢとの間のマッピングを実行するためである。しかしながら、現在、ＣＵ−ＵＰまたはＣＵ−ＣＰによりホスティングされるＱｏＳフロー対ＤＲＢ再マッピングは、ＣＵ−ＣＰとＣＵ−ＵＰの分離時にサポートされない。したがって、ｇＮＢ−ＣＵ−ＣＰとｇＮＢ−ＣＵ−ＵＰの分離シナリオでＱｏＳフロー対ＤＲＢ再マッピングのための手順が提案される必要がある。
【０００４】
また、ＱｏＳフロー対ＤＲＢマッピングのうちＱｏＳフロー対ＤＲＢ反射マッピングがある。ＱｏＳフロー対ＤＲＢ再マッピングの場合とは違って、ＵＥに（ＣＵ−ＵＰがＱｏＳフロー対ＤＲＢマッピング規則を提供する場合、ＣＵ−ＣＰを介して）ＱｏＳフロー対ＤＲＢ反射再マッピングを提供する必要はない。ＣＵ−ＵＰ内のＳＤＡＰは、ＲＱＩが１に設定され、またはＲＤＩが１に設定されたダウンリンクデータを再マッピングされたＤＲＢを介してＵＥに送信するためである。このデータを受信する時、ＵＥは、前記ＱｏＳフロー対ＤＲＢマッピングをアップリンクに対するＱｏＳフロー対ＤＲＢマッピング規則として格納する。したがって、ＱｏＳフロー対ＤＲＢ反射マッピングを考慮して、ＣＵ−ＵＰまたはＣＵ−ＣＰによりホスティングされるＱｏＳフロー対ＤＲＢ再マッピングソリューションが必要である。
【課題を解決するための手段】
【０００５】
一実施例によると、無線通信システムにおいて、基地局（ＢＳ）の中央ユニット（ＣＵ）によりＱｏＳフロー対ＤＲＢマッピング規則を修正する方法が提供される。前記方法は、前記ＱｏＳフロー対ＤＲＢマッピング規則を修正するステップ、前記修正されたＱｏＳフロー対ＤＲＢマッピング規則が反射マッピングと関連しているかどうかを判断するステップ、及び、前記修正されたＱｏＳフロー対ＤＲＢマッピング規則が前記反射マッピングと関連していないと決定される場合、前記修正されたＱｏＳフロー対ＤＲＢマッピング規則をユーザ端末（ＵＥ）に送信するステップを含む。
【０００６】
他の実施例によると、無線通信システムにおいてＱｏＳフロー対ＤＲＢマッピング規則を修正する基地局（ＢＳ）の中央ユニット（ＣＵ）が提供される。前記ＣＵは、送受信機、少なくとも一つのプロセッサ、及び、前記少なくとも一つのプロセッサに動作可能に連結されることができ、実行時に前記少なくとも一つのプロセッサが動作を実行するようにする命令を格納する少なくとも一つのコンピュータメモリを含み、前記動作は、前記ＱｏＳフロー対ＤＲＢマッピング規則を修正する動作、前記修正されたＱｏＳフロー対ＤＲＢマッピング規則が反射マッピングと関連しているかどうかを判断する動作、及び、前記修正されたＱｏＳフロー対ＤＲＢマッピング規則が前記反射マッピングと関連していないと決定される場合、前記修正されたＱｏＳフロー対ＤＲＢマッピング規則をユーザ端末（ＵＥ）に送信する動作を含む。
【０００７】
他の実施例によると、無線通信システムにおいて修正されたＱｏＳフロー対ＤＲＢマッピング規則をユーザ端末（ＵＥ）により受信する方法が提供される。前記方法は、基地局（ＢＳ）の中央ユニット（ＣＵ）から前記修正されたＱｏＳフロー対ＤＲＢマッピング規則を受信するステップを含み、前記修正されたＱｏＳフロー対ＤＲＢマッピング規則は、反射マッピングと関連していない。
【発明の効果】
【０００８】
ユーザ経験が改善されることができ、ＲＡＮノードは、特定ＵＥに対するデータパケットを一層良く処理することができる。
【図面の簡単な説明】
【０００９】
【図１】本発明の技術的特徴が適用できる無線通信システムの例を示す。
【図２】本発明の技術的特徴が適用できる無線通信システムの他の例を示す。
【図３】本発明の技術的特徴が適用できるユーザプレーンプロトコルスタックのブ
【図４】本発明の技術的特徴が適用できる制御プレーンプロトコルスタックのブロック図を示す。
【図５】本発明の技術的特徴が適用できるＮＧ−ＲＡＮと５ＧＣとの間の機能的な分割を示す。
【図６】本発明の技術的特徴が適用されることができるＮＧ−ＲＡＮの全体アーキテクチャを示す。
【図７】本発明の技術的特徴が適用されることができるｇＮＢ−ＣＵ−ＣＰ及びｇＮＢ−ＣＵ−ＵＰの分離のための全体アーキテクチャを示す。
【図８】本発明の技術的特徴が適用されることができるＱｏＳフローとＤＲＢとの間のマッピングを示す。
【図９】本発明の一実施例に係るＣＰ−ＵＰ分離の場合においてＱｏＳフロー対ＤＲＢマッピング規則を修正する手順を示す。
【図１０ａ】本発明の一実施例に係るＣＰ−ＵＰ分離の場合においてＱｏＳフロー対ＤＲＢマッピング規則を修正する手順を示す。
【図１０ｂ】本発明の一実施例に係るＣＰ−ＵＰ分離の場合においてＱｏＳフロー対ＤＲＢマッピング規則を修正する手順を示す。
【図１１】本発明の一実施例に係るＣＰ−ＵＰ分離の場合においてＱｏＳフロー対ＤＲＢマッピング規則を修正する手順を示す。
【図１２】本発明の一実施例に係る基地局（ＢＳ）の中央ユニット（ＣＵ）によりＱｏＳフロー対ＤＲＢマッピング規則を修正する方法を示す。
【図１３】本発明の一実施例を具現するためのＢＳを示す。
【図１４】本発明の一実施例に係る修正されたＱｏＳフロー対ＤＲＢマッピング規則をＵＥにより受信する方法を示す。
【図１５】本発明の一実施例を具現するためのＵＥを示す。
【発明を実施するための形態】
【００１０】
この文書において“／”及び“、”は“及び／または”を意味すると解釈されなければならない。例えば、“Ａ／Ｂ”は“Ａ及び／またはＢ”を意味できる。また、“Ａ、Ｂ”は“Ａ及び／またはＢ”を意味できる。また、“Ａ／Ｂ／Ｃ”は“Ａ、Ｂ、及び／またはＣのうち少なくとも一つ”を意味できる。また、“Ａ、Ｂ、Ｃ”は“Ａ、Ｂ、及び／またはＣのうち少なくとも一つ”を意味できる。
【００１１】
また、この文書において“または”は“及び／または”を意味すると解釈されなければならない。例えば、“ＡまたはＢ”は１）Ａ、２）Ｂ、及び／または３）Ａ及びＢの両方ともを含むことができる。即ち、この文書で“または”は“追加的にまたは代案として”を意味すると解釈されなければならない。
【００１２】
以下に記述された技術的特徴は、３ＧＰＰ（３ｒｄ  Ｇｅｎｅｒａｔｉｏｎ  Ｐａｒｔｎｅｒｓｈｉｐ  Ｐｒｏｊｅｃｔ）標準化機構の通信標準、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）の通信標準などにおいて使用されることができる。例えば、３ＧＰＰ標準化機構による通信標準にはＬＴＥ（ｌｏｎｇ−ｔｅｒｍ  ｅｖｏｌｕｔｉｏｎ）及び／またはＬＴＥシステムの進化が含まれる。ＬＴＥシステムの進化にはＬＴＥ−Ａ（ＬＴＥ−Ａｄｖａｎｃｅｄ）、ＬＴＥ−Ａ  Ｐｒｏ及び／または５Ｇ  Ｎｅｗ  Ｒａｄｉｏ（ＮＲ）が含まれる。ＩＥＥＥ標準化機構の通信標準にはＩＥＥＥ  ８０２．１１ａ／ｂ／ｇ／ｎ／ａｃ／ａｘのようＮＷＬＡＮ（ｗｉｒｅｌｅｓｓ  ｌｏｃａｌ  ａｒｅａ  ｎｅｔｗｏｒｋ）システムが含まれる。前述したシステムは、ダウンリンク（ＤＬ）及び／またはアップリンク（ＵＬ）のための直交周波数分割多重アクセス（ＯＦＤＭＡ）及び／または単一搬送波周波数分割多重アクセス（ＳＣ−ＦＤＭＡ）などの多様な多重アクセス技術を使用する。例えば、ＤＬにはＯＦＤＭＡのみが使用され、ＵＬにはＳＣ−ＦＤＭＡのみが使用されることができる。代案的に、ＯＦＤＭＡ及びＳＣ−ＦＤＭＡはＤＬ及び／またはＵＬに使用されることができる。
【００１３】
図１は、本発明の技術的特徴が適用できる無線通信システムの例を示す。具体的に、図１は、進化したＵＭＴＳ地上無線アクセスネットワーク（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ：Ｅ−ＵＴＲＡＮ）に基づいたシステムアーキテクチャを示す。前述したＬＴＥは、Ｅ−ＵＴＲＡＮを使う進化したＵＴＭＳ（ｅ−ＵＭＴＳ）の一部である。
【００１４】
図１に示すように、無線通信システムは、一つ以上のユーザ端末（ＵＥ）１０、Ｅ−ＵＴＲＡＮ及び進化されたパケットコア（ｅｖｏｌｖｅｄ  ｐａｃｋｅｔ  ｃｏｒｅ：ＥＰＣ）を含む。ＵＥ１０は、ユーザにより携帯（ｃａｒｒｙ）される通信機器を示す。ＵＥ１０は固定的であるか、モバイルであり得る。ＵＥ１０は、移動局（ｍｏｂｉｌｅ  ｓｔａｔｉｏｎ：ＭＳ）、ユーザ端末（ｕｓｅｒ  ｔｅｒｍｉｎａｌ：ＵＴ）、加入者局（ｓｕｂｓｃｒｉｂｅｒ  ｓｔａｔｉｏｎ：ＳＳ）、無線機器（ｗｉｒｅｌｅｓｓ  ｄｅｖｉｃｅ）などの他の用語と呼ばれてもよい。
【００１５】
Ｅ−ＵＴＲＡＮは、一つ以上の基地局（ＢＳ）２０で構成される。ＢＳ２０は、Ｅ−ＵＴＲＡユーザプレーン及び制御プレーンプロトコル終端をＵＥ１０に提供する。ＢＳ２０は、一般的に、ＵＥ１０と通信する固定局である。ＢＳ２０は、セル間の無線リソース管理（ｉｎｔｅｒ−ｃｅｌｌ  ｒａｄｉｏ  ｒｅｓｏｕｒｃｅ  ｍａｎａｇｅｍｅｎｔ：ＭＭＥ）、無線ベアラ（ＲＢ）制御、接続移動性制御、無線許可制御、測定構成、動的リソース割り当て（スケジューラ）などの機能をホストする。ＢＳは、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｙｓｔｅｍ）、ＡＰ（Ａｃｃｅｓｓ  Ｐｏｉｎｔ）などの他の用語と呼ばれてもよい。
【００１６】
ダウンリンク（ＤＬ）は、ＢＳ２０からＵＥ１０への通信を意味する。アップリンク（ＵＬ）は、ＵＥ１０からＢＳ２０への通信を意味する。サイドリンク（ＳＬ）は、ＵＥ１０間の通信を意味する。ＤＬにおいて、送信機はＢＳ２０の一部であり得るし、受信機はＵＥ１０の一部であり得る。ＵＬにおいて、送信機はＵＥ１０の一部であり得るし、受信機はＢＳ２０の一部であり得る。ＳＬにおいて、送信機及び受信機はＵＥ１０の一部であり得る。
【００１７】
ＥＰＣは、移動性管理エンティティ（ＭＭＥ）、サービングゲートウェイ（Ｓ−ＧＷ）及びパケットデータネットワーク（ＰＤＮ）ゲートウェイ（Ｐ−ＧＷ）を含む。ＭＭＥは、ＮＡＳ（Ｎｏｎ−Ａｃｃｅｓｓ  Ｓｔｒａｔｕｍ）セキュリティ、遊休状態移動性処理、ＥＰＳ（Ｅｖｏｌｖｅｄ  Ｐａｃｋｅｔ  Ｓｙｓｔｅｍ）ベアラ制御などの機能をホストする。Ｓ−ＧＷは、移動性アンカリングなどの機能をホストする。Ｓ−ＧＷは、Ｅ−ＵＴＲＡＮをエンドポイントとして有するゲートウェイである。便宜上、ＭＭＥ／Ｓ−ＧＷ３０は、本明細書で簡単に「ゲートウェイ」と称されるが、このエンティティはＭＭＥ及びＳ−ＧＷを全て含むものと理解される。Ｐ−ＧＷは、ＵＥインターネットプロトコル（ＩＰ）アドレス割り当て、パケットフィルタリングなどの機能をホストする。Ｐ−ＧＷは、ＰＤＮをエンドポイントとして有するゲートウェイである。Ｐ−ＧＷが外部ネットワークに接続されている。
【００１８】
ＵＥ１０は、Ｕｕインタフェースを介してＢＳ２０に接続される。ＵＥ１０は、ＰＣ５のインタフェースを介して相互接続される。ＢＳ２０は、Ｘ２インタフェースにより相互接続される。ＢＳ２０はまた、Ｓ１インタフェースによりＥＰＣに、より具体的には、Ｓ１−ＭＭＥインタフェースによりＭＭＥに、Ｓ１−ＵインタフェースによりＳ−ＧＷに接続される。Ｓ１インタフェースは、ＭＭＥ／Ｓ−ＧＷとＢＳ間の多対多関係（ｍａｎｙ−ｔｏ−ｍａｎｙ  ｒｅｌａｔｉｏｎ）をサポートする。
【００１９】
図２は、本発明の技術的特徴が適用できる無線通信システムの他の例を示す。具体的に、図２は、５Ｇ新しい無線アクセス技術（ｎｅｗ  ｒａｄｉｏ  ａｃｃｅｓｓ  ｔｅｃｈｎｏｌｏｇｙ：ＮＲ）システムに基づいたシステムアーキテクチャを示す。５Ｇ  ＮＲシステムにおいて使用されるエンティティ（以下、簡単に「ＮＲ」という。）は、図１に導入されたエンティティ（例えば、ｅＮＢ、ＭＭＥ、Ｓ−ＧＷ）の機能の一部または全部を吸収（ａｂｓｏｒｂ）する。ＮＲシステムにおいて使われるエンティティは、ＬＴＥ／ＬＴＥ−Ａと区別するために「ＮＧ」という名で識別できる。
【００２０】
図２に示すように、無線通信システムは、一つ以上のＵＥ１１、次世代ＲＡＮ（ＮＧ−ＲＡＮ）及び５世代コアネットワーク（５ＧＣ）を含む。ＮＧ−ＲＡＮは、一つ以上のＮＧ−ＲＡＮノードで構成される。ＮＧ−ＲＡＮノードは、図１に示すＢＳ２０に対応するエンティティである。ＮＧ−ＲＡＮノードは、少なくとも一つのｇＮＢ２１及び／または少なくとも一つのｎｇ−ｅＮＢ２２で構成される。ｇＮＢ２１は、ＵＥ１１に対するＮＲユーザプレーン及び制御プレーンプロトコル終端（ｔｅｒｍｉｎａｔｉｏｎ）を提供する。ｎｇ−ｅＮＢ２２は、ＵＥ１１に向けたＥ−ＵＴＲＡユーザプレーン及び制御プレーンプロトコル終端を提供する。
【００２１】
５ＧＣは、アクセス及び移動性管理機能（ＡＭＦ）、ユーザプレーン機能（ＵＰＦ）及びセッション管理機能（ＳＭＦ）を含む。ＡＭＦは、ＮＡＳセキュリティ、遊休状態移動性処理などの機能をホストする。ＡＭＦは、既存ＭＭＥの機能を含むエンティティである。ＵＰＦは、移動性アンカー、ＰＤＵ（Ｐｒｏｔｏｃｏｌ  Ｄａｔａ  Ｕｎｉｔ）処理などの機能をホストする。ＵＰＦは、従来のＳ−ＧＷの機能を含むエンティティである。ＳＭＦは、ＵＥ  ＩＰアドレス割り当て、ＰＤＵセッション制御などの機能をホストする。
【００２２】
ｇＮＢとｎｇ−ｅＮＢは、Ｘｎインタフェースを介して互いに接続される。ｇＮＢ及びｎｇ−ｅＮＢはまた、ＮＧインタフェースを介して５ＧＣに、より具体的に、ＮＧ−Ｃインタフェースを介してＡＭＦに、ＮＧ−Ｕインタフェースを介してＵＰＦに接続される。
【００２３】
前述したネットワークエンティティ間のプロトコル構造を説明する。図１及び／または図２のシステム上において、ＵＥとネットワーク間の無線インタフェースプロトコルの層（例えば、ＮＧ−ＲＡＮ及び／またはＥ−ＵＴＲＡＮ）は、通信システムにおいてよく知られている開放型システム間相互接続（ｏｐｅｎ  ｓｙｓｔｅｍ  ｉｎｔｅｒｃｏｎｎｅｃｔｉｏｎ：ＯＳＩ）モデルの下位３つの層をベースとする第１層（Ｌ１）、第２層（Ｌ２）及び第３層（Ｌ３）に分類される。
【００２４】
図３は、本発明の技術的特徴が適用できるユーザプレーンプロトコルスタックのブロック図を示す。図４は、本発明の技術的特徴が適用できる制御プレーンプロトコルスタックのブロック図を示す。図３及び図４に示すユーザ／制御プレーンプロトコルスタックがＮＲに使用される。しかしながら、図３及び図４に示すユーザ／制御プレーンプロトコルスタックは、ｇＮＢ／ＡＭＦをｅＮＢ／ＭＭＥに代替することにより一般性の損失なしにＬＴＥ／ＬＴＥ−Ａに使用されることができる。
【００２５】
図３及び図４に示すように、物理（ＰＨＹ）層は、Ｌ１に属する。ＰＨＹ層は、ＭＡＣ（Ｍｅｄｉａ  Ａｃｃｅｓｓ  Ｃｏｎｔｒｏｌ）サブ層及び上位層に情報送信サービスを提供する。ＰＨＹ層は、ＭＡＣサブ層送信チャネルを提供する。ＭＡＣサブ層とＰＨＹ層間のデータは送信チャネルを介して送信される。相異なるＰＨＹ層間、即ち、送信側のＰＨＹ層と受信側のＰＨＹ層との間において、データは物理チャネルを介して送信される。
【００２６】
ＭＡＣサブ層はＬ２に属する。ＭＡＣサブ層の主要サービス及び機能は、論理チャネルと送信チャネルとの間のマッピング、送信チャネル上の物理階層に／から伝達される送信ブロック（ＴＢ）へ／からの一つまたは他の論理チャネルに属するＭＡＣサービスデータユニット（ＳＤＵ）のマルチプレクシング／デマルチプレクシング、スケジューリング情報報告、ＨＡＲＱ（ｈｙｂｒｉｄ  ａｕｔｏｍａｔｉｃ  ｒｅｐｅａｔ  ｒｅｑｕｅｓｔ）によるエラー訂正、動的スケジューリングによるＵＥ間の優先順位処理、論理チャネル優先順位（ＬＣＰ）による一つのＵＥの論理チャネル間の優先順位処理などを含む。ＭＡＣサブ層は、無線リンク制御（ＲＬＣ）サブ層論理チャネルに提供される。
【００２７】
ＲＬＣサブ層はＬ２に属する。ＲＬＣサブ層は、無線ベアラにより要求される多様なサービス品質（ＱｏＳ）を保障するために３つの送信モード、即ち、透明モード（ｔｒａｎｓｐａｒｅｎｔ  ｍｏｄｅ：ＴＭ）、未承認モード（ｕｎａｃｋｎｏｗｌｅｄｇｅｄ  ｍｏｄｅ：ＵＭ）及び承認モード（ａｃｋｎｏｗｌｅｄｇｅｄ  ｍｏｄｅ：ＡＭ）をサポートする。ＲＬＣサブ層の主要サービス及び機能は送信モードに依存する。例えば、ＲＬＣサブ層は、３つのモード全てに対して上位層ＰＤＵの送信を提供するが、ＡＭに対してのみＡＲＱによるエラー訂正を提供する。ＬＴＥ／ＬＴＥ−Ａにおいて、ＲＬＣサブ層は、ＲＬＣ  ＳＤＵの連接（ｃｏｎｃａｔｅｎａｔｉｏｎ）、分割（ｓｅｇｍｅｎｔａｔｉｏｎ）及び再組立（ｒｅａｓｓｅｍｂｌｙ）（ＵＭ及びＡＭデータ送信専用）及びＲＬＣデータＰＤＵの再分割（ＡＭデータ送信専用）を提供する。ＮＲにおいて、ＲＬＣサブ層は，ＲＬＣ  ＳＤＵの分割（ＡＭ及びＵＭ専用）及び再分割（ＡＭ専用）及びＳＤＵの再組立（ＡＭ及びＵＭ専用）を提供する。即ち、ＮＲは、ＲＬＣ  ＳＤＵの連接をサポートしない。ＲＬＣサブ層は、ＰＤＣＰ（Ｐａｃｋｅｔ  Ｄａｔａ  Ｃｏｎｖｅｒｇｅｎｃｅ  Ｐｒｏｔｏｃｏｌ）サブ層ＲＬＣチャネルを提供する。
【００２８】
ＰＤＣＰサブ層はＬ２に属する。ユーザプレーンのためのＰＤＣＰサブ層の主要サービス及び機能は、ヘッダ圧縮及び圧縮解除、ユーザデータ送信、重複検出、ＰＤＣＰ  ＰＤＵルーティング、ＰＤＣＰ  ＳＤＵの再送信、暗号化及び解読などを含む。ＰＤＣＰの主要サービス及び機能制御プレーンのサブ層には暗号化及び無欠性保護、制御プレーンデータの送信などが含まれる。
【００２９】
サービスデータ適応プロトコル（ＳＤＡＰ）サブ層はＬ２に属する。ＳＤＡＰサブ層はユーザプレーンにおいてのみ定義される。ＳＤＡＰサブ層はＮＲに対してのみ定義される。ＳＤＡＰの主要サービス及び機能には、ＱｏＳフローとＤＲＢ（Ｄａｔａ  Ｒａｄｉｏ  Ｂｅａｒｅｒ）間のマッピング、ＤＬ及びＵＬパケットの両方ともにおいてＱｏＳフローＩＤ（ＱＦＩ）をマーキング（ｍａｒｋｉｎｇ）することが含まれる。ＳＤＡＰサブ層は５ＧＣ  ＱｏＳフローを提供する。
【００３０】
ＲＲＣ（Ｒａｄｉｏ  Ｒｅｓｏｕｒｃｅ  Ｃｏｎｔｒｏｌ）層はＬ３に属する。ＲＲＣ層は、制御プレーンにおいてのみ定義される。ＲＲＣ層は、ＵＥとネットワークとの間の無線リソースを制御する。このために、ＲＲＣ層は、ＵＥと基地局間にＲＲＣメッセージを交換する。ＲＲＣ層の主要サービス及び機能は、ＡＳ及びＮＡＳに関するシステム情報のブロードキャスト、ＵＥとネットワーク間のＲＲＣ接続のページング、設定、維持保守及び解除、キー管理、設定、構成、維持保守を含むセキュリティ機能及び無線ベアラの解除、移動性機能、ＱｏＳ管理機能、ＵＥ測定報告及び報告制御、ＮＡＳとＵＥ間にＮＡＳメッセージ送信を含むことができる。
【００３１】
言い換えると、ＲＲＣ層は、無線ベアラの構成、再構成及び解除と関連して論理チャネル、送信チャネル及び物理チャネルを制御する。無線ベアラは、ＵＥとネットワークとの間のデータ送信のためにＬ１（ＰＨＹ層）及びＬ２（ＭＡＣ／ＲＬＣ／ＰＤＣＰ／ＳＤＡＰサブ層）により提供される論理経路を示す。無線ベアラを設定することは、特定サービスを提供するための無線プロトコル層及びチャネルの特性を定義し、各々の特定パラメータ及び動作方法を設定することを意味する。無線ベアラは、ＳＲＢ（Ｓｉｇｎａｌｉｎｇ  ＲＢ）とＤＲＢ（Ｄａｔａ  ＲＢ）に分けられる。ＳＲＢは、制御プレーンにおいてＲＲＣメッセージを送信するための経路として使用され、ＤＲＢは、ユーザプレーンにおいてユーザデータを送信するための経路として使用される。
【００３２】
ＲＲＣ状態は、ＵＥのＲＲＣ層がＥ−ＵＴＲＡＮのＲＲＣ層に論理的に接続されているか否かを示す。ＬＴＥ／ＬＴＥ−Ａにおいて、ＵＥのＲＲＣ層とＥ−ＵＴＲＡＮのＲＲＣ層との間にＲＲＣ接続が確立（ｅｓｔａｂｌｉｓｈ）されると、ＵＥは、ＲＲＣ接続状態（ＲＲＣ＿ＣＯＮＮＮＥＣＴＥＤ）にあることになる。そうでないと、ＵＥは、ＲＲＣ遊休状態（ＲＲＣ＿ＩＤＬＥ）にある。ＮＲにおいて、ＲＲＣ非活性状態（ＲＲＣ＿ＩＮＡＣＴＩＶＥ）が追加で導入される。ＲＲＣ＿ＩＮＡＣＴＩＶＥは、様々な目的で使用されることができる。例えば、大規模マシンタイプ通信（ｍａｓｓｉｖｅ  ｍａｃｈｉｎｅ  ｔｙｐｅ  ｃｏｍｍｕｎｉｃａｔｉｏｎｓ：ＭＭＴＣ）のＵＥがＲＲＣ＿ＩＮＡＣＴＩＶＥにおいて効率的に管理されることがある。特定条件が満足されると、前記３つの状態のうち一つから他の状態に遷移が行われる。
【００３３】
ＲＲＣ状態に応じて所定の動作が行われることができる。ＲＲＣ＿ＩＤＬＥにおいて、ＮＡＳにより構成されたＰＬＭＮ（ｐｕｂｌｉｃ  ｌａｎｄ  ｍｏｂｉｌｅ  ｎｅｔｗｏｒｋ）選択、システム情報（ＳＩ）のブロードキャスト、セル再選択移動性、コアネットワーク（ＣＮ）ページング及び不連続受信（ＤＲＸ）が行われることがある。ＵＥは、追跡領域においてＵＥを固有に識別する識別子（ＩＤ）が割り当てられるべきである。基地局に格納されたＲＲＣコンテキストはない。
【００３４】
ＲＲＣ＿ＣＯＮＮＥＣＴＥＤにおいて、ＵＥは、ネットワーク（即ち、Ｅ−ＵＴＲＡＮ／ＮＧ−ＲＡＮ）とのＲＲＣ接続を有する。ＵＥに対するネットワークＣＮ接続（Ｃ／Ｕプレーン両方とも）も設定される。ＵＥ  ＡＳコンテキストは、ネットワーク及びＵＥに格納される。ＲＡＮは、ＵＥが属するセルを知っている。ネットワークはＵＥとデータを送受信することができる。測定を含むネットワーク制御移動性が行われる。
【００３５】
ＲＲＣ＿ＩＤＬＥにおいて行われる大部分の動作は、ＲＲＣ＿ＩＮＡＣＴＩＶＥにおいて行われることができる。しかしながら、ＲＲＣ＿ＩＤＬＥにおいてＣＮページングの代わりにＲＲＣ＿ＩＮＡＣＴＩＶＥにおいてＲＡＮページングが行われる。言い換えると、ＲＲＣ＿ＩＤＬＥにおいて、モバイル終端（ＭＴ）データに対するページングはコアネットワークにより開始され、ページング領域はコアネットワークにより管理される。ＲＲＣ＿ＩＮＡＣＴＩＶＥにおいて、ページングはＮＧ−ＲＡＮにより開始され、ＲＡＮベース通知領域（ＲＮＡ）はＮＧ−ＲＡＮにより管理される。また、ＲＲＣ＿ＩＤＬＥにおいてＮＡＳで構成されたＣＮページング用のＤＲＸの代わりに、ＲＡＮページング用のＤＲＸはＲＲＣ＿ＩＮＡＣＴＩＶＥにおいてＮＧ−ＲＡＮで構成される。一方、ＲＲＣ＿ＩＮＡＣＴＩＶＥにおいては、ＵＥに対して５ＧＣ−ＮＧ−ＲＡＮ接続（Ｃ／Ｕプレーン両方とも）が設定され、ＵＥ  ＡＳコンテキストはＮＧ−ＲＡＮとＵＥに格納される。ＮＧ−ＲＡＮは、ＵＥが属するＲＮＡを知っている。
【００３６】
ＮＡＳ層は、ＲＲＣ層の上部（ｔｏｐ）にある。ＮＡＳ制御プロトコルは、認証、移動性管理、セキュリティ制御などの機能を行う。
【００３７】
物理チャネルは、ＯＦＤＭプロセシングによって変調され、無線リソースとして時間及び周波数を利用する。物理チャネルは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルと周波数領域において複数のサブ搬送波で構成される。一つのサブフレームは、時間領域において複数のＯＦＤＭシンボルで構成される。リソースブロックはリソース割り当て単位であり、複数のＯＦＤＭシンボルと複数のサブ搬送波で構成される。また、各々のサブフレームは、物理ダウンリンク制御チャネル（ＰＤＣＣＨ）、即ち、Ｌ１／Ｌ２制御チャネルに対して対応するサブフレームの特定ＯＦＤＭシンボル（例えば、第１ＯＦＤＭシンボル）の特定サブ搬送波を使用することができる。送信時間間隔（ＴＴＩ）は、リソース割り当てのためにスケジューラが使用する基本時間単位である。ＴＴＩは、一つまたは複数のスロット単位で定義されることもでき、ミニスロット単位で定義されることもできる。
【００３８】
送信チャネルは、無線インタフェースを介してデータが送信される方式と特性によって分類される。ＤＬ送信チャネルは、システム情報の送信に使用されるブロードキャストチャネル（ＢＣＨ）、ユーザトラフィックまたは制御信号の送信に使用されるＤＬ−ＳＣＨ（Ｄｏｗｎｌｉｎｋ  Ｓｈａｒｅｄ  Ｃｈａｎｎｅｌ）及びＵＥをページングに使用されるＰＣＨ（Ｐａｇｉｎｇ  Ｃｈａｎｎｅｌ）を含む。ＵＬ送信チャネルは、ユーザトラフィックまたは制御信号を送信するためのアップリンク共有チャネル（ＵＬ−ＳＣＨ）及びセルに対する初期アクセスに一般的に使用されるランダムアクセスチャネル（ＲＡＣＨ）を含む。
【００３９】
ＭＡＣサブ層において他の種類のデータ送信サービスを提供する。各論理チャネルタイプは、送信される情報タイプに応じて定義される。論理チャネルは、制御チャネルとトラフィックチャネルの２つのグループに分類される。
【００４０】
制御チャネルは、制御プレーン情報の送信にのみ使用される。制御チャネルは、ブロードキャスト制御チャネル（ＢＣＣＨ）、ページング制御チャネル（ＰＣＣＨ）、共通制御チャネル（ＣＣＣＨ）及び専用制御チャネル（ＤＣＣＨ）を含む。ＢＣＣＨは、ブロードキャストシステム制御情報のためのＤＬチャネルである。ＰＣＣＨは、ページング情報、システム情報変更通知を送信するＤＬチャネルである。ＣＣＣＨは、ＵＥとネットワーク間に制御情報を送信するためのチャネルである。このチャネルは、ネットワークとＲＲＣ接続のないＵＥに使用される。ＤＣＣＨは、ＵＥとネットワーク間に専用制御情報を送信するポイントツーポイント双方向チャネルである。このチャネルは、ＲＲＣ接続のあるＵＥにより使用される。
【００４１】
トラフィックチャネルは、ユーザプレーン情報送信にのみ使用される。トラフィックチャネルには専用のトラフィックチャネル（ＤＴＣＨ）が含まれる。ＤＴＣＨは、ユーザ情報の送信のための一つのＵＥ専用のポイントツーポイントチャネルである。ＤＴＣＨはＵＬとＤＬの両方ともに存在することができる。
【００４２】
論理チャネルと送信チャネルとの間のマッピングに関して、ＤＬにおいて、ＢＣＣＨはＢＣＨにマッピングされ、ＢＣＣＨはＤＬ−ＳＣＨにマッピングされ、ＰＣＣＨはＰＣＨにマッピングされ、ＣＣＣＨはＤＬ−ＳＣＨにマッピングされ、ＤＣＣＨはＤＬ−ＳＣＨにマッピングされ、ＤＴＣＨはＤＬ−ＳＣＨにマッピングされる。ＵＬにおいて、ＣＣＣＨはＵＬ−ＳＣＨにマッピングされ、ＤＣＣＨはＵＬ−ＳＣＨにマッピングされ、ＤＴＣＨはＵＬ−ＳＣＨにマッピングされる。
【００４３】
図５は、本発明の技術的特徴が適用できるＮＧ−ＲＡＮと５ＧＣとの間の機能的な分割を示す。
【００４４】
図５を参照すると、ｇＮＢ及びｎｇ−ｅＮＢは、下記の機能をホストすることができる。
【００４５】
−無線リソース管理のための機能：無線ベアラ制御、無線許可制御、接続移動性制御、アップリンク及びダウンリンク（スケジューリング）の全てでＵＥに対するリソースの動的割当；
【００４６】
−データのＩＰヘッダ圧縮、暗号化及び無欠性保護；
【００４７】
−ＡＭＦへのルーティングがＵＥにより提供された情報から決定されることができない場合、ＵＥアタッチ（ａｔｔａｃｈ）の時、ＡＭＦの選択；
【００４８】
−ユーザプレーンデータをＵＰＦ（ら）でルーティング；
【００４９】
−ＡＭＦに向かう制御プレーン情報のルーティング；
【００５０】
−接続設定及び解除；
【００５１】
−ページングメッセージのスケジューリング及び送信；
【００５２】
−（ＡＭＦまたはＯ＆Ｍから発生する）システム放送情報のスケジューリング及び送信；
【００５３】
−移動性及びスケジューリングのための測定及び測定報告構成；
【００５４】
−アップリンクでの送信レベルパケットマーキング；
【００５５】
−セッション管理；
【００５６】
−ネットワークスライシングのサポート；
【００５７】
−ＱｏＳフロー管理及びデータ無線ベアラへのマッピング；
【００５８】
−ＲＲＣ＿ＩＮＡＣＴＩＶＥ状態にあるＵＥのサポート；
【００５９】
−ＮＡＳメッセージの分配機能；
【００６０】
−無線アクセスネットワーク共有；
【００６１】
−二重接続性；
【００６２】
−ＮＲとＥ−ＵＴＲＡとの間の緊密な連動（ｉｎｔｅｒｗｏｒｋｉｎｇ）。
【００６３】
ＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ）は、下記の主要機能をホストすることができる。
【００６４】
−ＮＡＳシグナリング終端
【００６５】
−ＮＡＳシグナリングセキュリティ；
【００６６】
−ＡＳセキュリティ制御；
【００６７】
−３ＧＰＰアクセスネットワーク間の移動性のためのインターＣＮノードシグナリング；
【００６８】
−アイドル（ｉｄｌｅ）モードＵＥ到達可能性（ページング再送信の制御及び実行を含む）；
【００６９】
−登録領域管理；
【００７０】
−イントラ−システム及びインター−システム移動性のサポート；
【００７１】
−アクセス認証；
【００７２】
−ローミング権限のチェックを含むアクセス認証；
【００７３】
−移動性管理制御（加入及び政策）；
【００７４】
−ネットワークスライシングのサポート；
【００７５】
−ＳＭＦ選択。
【００７６】
ＵＰＦ（Ｕｓｅｒ  Ｐｌａｎｅ  Ｆｕｎｃｔｉｏｎ）は、下記の主要機能をホストすることができる。
【００７７】
−イントラ／インター−ＲＡＴ移動性のためのアンカーポイント（適用可能な場合）；
【００７８】
−データネットワークに対する相互接続の外部ＰＤＵセッションポイント；
【００７９】
−パケットルーティング及びフォワーディング；
【００８０】
−パケット検査（ｉｎｓｐｅｃｔｉｏｎ）及び政策規則適用（ｅｎｆｏｒｃｅｍｅｎｔ）のユーザプレーン部分；
【００８１】
−トラフィック使用報告；
【００８２】
−データネットワークにトラフィックフローをルーティングすることをサポートするアップリンク分類子；
【００８３】
−マルチ−ホームＰＤＵセッションをサポートする分岐ポイント（ｂｒａｎｃｈｉｎｇ  ｐｏｉｎｔ）；
【００８４】
−ユーザプレーンに対するＱｏＳ取扱、例えば、パケットフィルタリング、ゲーティング、ＵＬ／ＤＬ料金執行（ｒａｔｅ  ｅｎｆｏｒｃｅｍｅｎｔ）；
【００８５】
−アップリンクトラフィック検証（ＱｏＳフローマッピングに対するＳＤＦ）；
【００８６】
−ダウンリンクパケットバッファリング及びダウンリンクデータ通知トリガリング；
【００８７】
セッション管理機能（ＳＭＦ）は、下記の主要機能をホストすることができる。
【００８８】
−セッション管理；
【００８９】
−ＵＥ  ＩＰアドレス割当及び管理；
【００９０】
−ＵＰ機能の選択及び制御；
【００９１】
−トラフィックを適切な目的地（ｄｅｓｔｉｎａｔｉｏｎ）へルーティングするためにＵＰＦでトラフィック調整（ｓｔｅｅｒｉｎｇ）を構成する；
【００９２】
−政策執行及びＱｏＳの制御部分；
【００９３】
−ダウンリンクデータ通知。
【００９４】
図６は、本発明の技術的特徴が適用されることができるＮＧ−ＲＡＮの全体アーキテクチャを示す。
【００９５】
図６を参照すると、ＮＧ−ＲＡＮは、ＮＧインタフェースを介して５ＧＣに連結されたｇＮＢの集合を含むことができる。ｇＮＢは、ＦＤＤモード、ＴＤＤモード、または二重モード動作をサポートすることができる。ｇＮＢは、Ｘｎインタフェースを介して相互連結されることができる。ｇＮＢは、ｇＮＢ中央ユニット（ｇＮＢ−ＣＵ）及び少なくとも一つのｇＮＢ分散ユニット（ｇＮＢ−ＤＵ）を含むことができる。ｇＮＢ−ＣＵは、ｇＮＢのＲＲＣ、ＳＤＡＰ、及びＰＤＣＰプロトコル、または一つ以上のｇＮＢ−ＤＵの動作を制御するｅｎ−ｇＮＢのＲＲＣ及びＰＤＣＰプロトコルをホスティングする論理ノードである。ｇＮＢ−ＣＵは、ｇＮＢ−ＤＵと連結されたＦ１インタフェースを終了することができる。ｇＮＢ−ＤＵは、ｇＮＢまたはｅｎ−ｇＮＢのＲＬＣ、ＭＡＣ、及びＰＨＹ階層をホスティングする論理ノードであり、その動作は、ｇＮＢ−ＣＵにより部分的に制御される。一つのｇＮＢ−ＤＵは、一つまたは複数のセルをサポートすることができる。一つのセルは、一つのｇＮＢ−ＤＵによってのみサポートされることができる。ｇＮＢ−ＤＵは、ｇＮＢ−ＣＵと連結されたＦ１インタフェースを終了することができる。一つのｇＮＢ−ＤＵは、一つのｇＮＢ−ＣＵにのみ連結される。復元のために、ｇＮＢ−ＤＵは、適切な具現により複数のｇＮＢ−ＣＵと連結されることができる。ＮＧ、Ｘｎ、及びＦ１は、論理的インタフェースである。
【００９６】
図７は、本発明の技術的特徴が適用されることができるｇＮＢ−ＣＵ−ＣＰ及びｇＮＢ−ＣＵ−ＵＰの分離のための全体アーキテクチャを示す。
【００９７】
図７を参照すると、ｇＮＢは、ｇＮＢ−ＣＵ−制御平面（ｇＮＢ−ＣＵ−ＣＰ）、複数のｇＮＢ−ＣＵ−ユーザ平面（ｇＮＢ−ＣＵ−ＵＰ）、及び複数のｇＮＢ−ＤＵを含むことができる。ｇＮＢ−ＣＵ−ＣＰは、ｅｎ−ｇＮＢまたはｇＮＢに対するｇＮＢ−ＣＵのＲＲＣプロトコル及びＰＤＣＰプロトコルの制御平面部分をホスティングする論理ノードである。ｇＮＢ−ＣＵ−ＣＰは、ｇＮＢ−ＣＵ−ＵＰと連結されたＥ１インタフェースとｇＮＢ−ＤＵと連結されたＦ１−Ｃインタフェースを終了することができる。ｇＮＢ−ＣＵ−ＵＰは、ｅｎ−ｇＮＢに対するｇＮＢ−ＣＵのＰＤＣＰプロトコルのユーザ平面部分、及びｇＮＢに対するｇＮＢ−ＣＵのＰＤＣＰプロトコルのユーザ平面部分及びＳＤＡＰプロトコルをホスティングする論理ノードである。ｇＮＢ−ＣＵ−ＵＰは、ｇＮＢ−ＣＵ−ＣＰと連結されたＥ１インタフェースとｇＮＢ−ＤＵと連結されたＦ１−Ｕインタフェースを終了することができる。
【００９８】
ｇＮＢ−ＣＵ−ＣＰは、Ｆ１−Ｃインタフェースを介してｇＮＢ−ＤＵに連結されることができる。ｇＮＢ−ＣＵ−ＵＰは、Ｆ１−Ｕインタフェースを介してｇＮＢ−ＤＵに連結されることができる。ｇＮＢ−ＣＵ−ＵＰは、Ｅ１インタフェースを介してｇＮＢ−ＣＵ−ＣＰに連結されることができる。一つのｇＮＢ−ＤＵは、一つのｇＮＢ−ＣＵ−ＣＰにのみ連結されることができる。一つのｇＮＢ−ＣＵ−ＵＰは、一つのｇＮＢ−ＣＵ−ＣＰにのみ連結されることができる。復元のために、ｇＮＢ−ＤＵ及び／またはｇＮＢ−ＣＵ−ＵＰは、適切な具現により複数のｇＮＢ−ＣＵ−ＣＰに連結されることができる。一つのｇＮＢ−ＤＵは、同じｇＮＢ−ＣＵ−ＣＰの制御下に複数のｇＮＢ−ＣＵ−ＵＰに連結されることができる。一つのｇＮＢ−ＣＵ−ＵＰは、同じｇＮＢ−ＣＵ−ＣＰの制御下に複数のＤＵに連結されることができる。ｇＮＢ−ＣＵ−ＵＰとｇＮＢ−ＤＵとの間の連結は、ベアラコンテキスト管理機能を利用してｇＮＢ−ＣＵ−ＣＰにより確立されることができる。ｇＮＢ−ＣＵ−ＣＰは、ＵＥの要求されたサービスに対する適切なｇＮＢ−ＣＵ−ＵＰ（ら）を選択することができる。複数のＣＵ−ＵＰの場合、同じセキュリティドメインに属することができる。ｇＮＢ内でのｇＮＢ−ＣＵ−ＣＰ間のハンドオーバ中にｇＮＢ−ＣＵ−ＵＰ間のデータ伝達は、Ｘｎ−Ｕによりサポートされることができる。
【００９９】
図８は、本発明の技術的特徴が適用されることができるＱｏＳフローとＤＲＢとの間のマッピングを示す。
【０１００】
アップリンクにおいて、ＢＳは、反射マッピングまたは明示的構成を利用してＱｏＳフロー対ＤＲＢのマッピングを制御することができる。反射マッピングで、各々のＤＲＢに対して、ＵＥは、ダウンリンクパケットのＱｏＳフローＩＤ（ら）をモニタリングすることができ、アップリンクで同じマッピングを適用することができる。即ち、ＤＲＢに対して、ＵＥは、ＱｏＳフローＩＤ（ら）に対応するＱｏＳフロー（ら）に属するアップリンクパケットと、ＤＲＢに対するダウンリンクパケットで観察されたＰＤＵセッションをマッピングすることができる。反射マッピングを可能にするために、ＢＳは、Ｕｕを介してＱｏＳフローＩＤでダウンリンクパケットをマーキングすることができる。しかしながら、明示的構成で、ＢＳは、ＱｏＳフロー対ＤＲＢマッピングを構成することができる。即ち、ＱｏＳフロー対ＤＲＢマッピング規則は、ＲＲＣにより明示的にシグナリングされることができる。
【０１０１】
ＱｏＳフロー対ＤＲＢマッピング規則がアップデートされるべきかどうかを示すためにＲＤＩ（ｒｅｆｌｅｃｔｉｖｅ  ＱｏＳ  ｆｌｏｗ  ｔｏ  ＤＲＢ  ｍａｐｐｉｎｇ  ｉｎｄｉｃａｔｉｏｎ）が定義されることができる。例えば、ＲＤＩは、表１のように定義されることができる。
【０１０２】
【表１】
0006935585.tif 000002
【０１０３】
前述したように、５Ｇ  ＮＲにおいて、ｇＮＢ−ＣＵ−ＣＰ及びｇＮＢ−ＣＵ−ＵＰの分離が論議されている。ＣＵ−ＵＰは、ダウンリンク及びアップリンクの両方ともに対してＱｏＳフローとＤＲＢとの間のマッピング機能をサポートするＳＤＡＰプロトコルをホスティングするため、ＣＵ−ＵＰが現在状況、例えば、Ｆ１−Ｕ及び／またはＮＧ−Ｕ上でのダウンリンク及び／またはアップリンクトラフィックに基づいてＱｏＳフロー対ＤＲＢマッピング規則を修正することが可能である。一方、ＣＵ−ＵＰは、ダウンリンク及びアップリンクの両方ともに対してＱｏＳフローとＤＲＢとの間のマッピング機能をサポートするＳＤＡＰプロトコルをホスティングするが、現在状況に基づいてＱｏＳフロー対ＤＲＢマッピング規則を修正することをＣＵ−ＣＰに要求できる。ＣＵ−ＣＰは、ＱｏＳフロー対ＤＲＢマッピング規則を作ることができ、ＣＵ−ＵＰは、ＱｏＳフローとＤＲＢとの間のマッピングを実行するためである。しかしながら、ＣＵ−ＵＰまたはＣＵ−ＣＰによりホスティングされるＱｏＳフロー対ＤＲＢ再マッピングは、ＣＵ−ＣＰとＣＵ−ＵＰの分離時にサポートされない。したがって、ｇＮＢ−ＣＵ−ＣＰとｇＮＢ−ＣＵ−ＵＰの分離シナリオでＱｏＳフロー対ＤＲＢ再マッピングのための手順が提案される必要がある。
【０１０４】
また、前記説明されたように、ＱｏＳフロー対ＤＲＢマッピングのうちＱｏＳフロー対ＤＲＢ反射マッピングがある。ＱｏＳフロー対ＤＲＢ再マッピングの場合とは違って、ＵＥに（ＣＵ−ＵＰがＱｏＳフロー対ＤＲＢマッピング規則を提供する場合、ＣＵ−ＣＰを介して）ＱｏＳフロー対ＤＲＢ反射再マッピングを提供する必要はない。ＣＵ−ＵＰ内のＳＤＡＰは、ＲＱＩが１に設定され、またはＲＤＩが１に設定されたダウンリンクデータを再マッピングされたＤＲＢを介してＵＥに送信するためである。このデータを受信する時、ＵＥは、前記ＱｏＳフロー対ＤＲＢマッピングをアップリンクに対するＱｏＳフロー対ＤＲＢマッピング規則として格納する。したがって、ＱｏＳフロー対ＤＲＢ反射マッピングを考慮して、ＣＵ−ＵＰまたはＣＵ−ＣＰによりホスティングされるＱｏＳフロー対ＤＲＢ再マッピングソリューションが必要である。
【０１０５】
以下、ＣＵ−ＣＰとＣＵ−ＵＰの分離時、ＱｏＳフロー対ＤＲＢマッピング規則を修正する方法及びこれをサポートする装置を本発明の一実施例によって説明する。本明細書において、ＱｏＳフロー対ＤＲＢマッピング規則は、マッピング規則と呼ばれることができる。
【０１０６】
図９は、本発明の一実施例に係るＣＰ−ＵＰ分離の場合においてＱｏＳフロー対ＤＲＢマッピング規則を修正する手順を示す。
【０１０７】
図９を参照すると、ステップＳ９１０において、ＣＵは、現在状況に基づいて確立された一つ以上のＤＲＢまたはＱｏＳフローに対するＱｏＳフロー対ＤＲＢマッピング規則を修正することを決定することができる。例えば、ＣＵは、Ｆ１−Ｕ及び／またはＮＧ−Ｕ上でのダウンリンクトラフィック及び／またはアップリンクトラフィックに基づいてＱｏＳフロー対ＤＲＢマッピング規則を修正することを決定することができる。その次に、ＣＵは、一つ以上のＤＲＢまたはＱｏＳフローに対するＱｏＳフロー対ＤＲＢマッピング規則を修正することができる。例えば、一つ以上のＤＲＢまたはＱｏＳフローに対するＱｏＳフロー対ＤＲＢマッピング規則は、ＣＵ−ＣＰにより修正されることができる。その代案として、一つ以上のＤＲＢまたはＱｏＳフローに対するＱｏＳフロー対ＤＲＢマッピング規則は、ＣＵ−ＵＰにより修正されることができる。
【０１０８】
ステップＳ９２０において、ＣＵは、修正されたＱｏＳフロー対ＤＲＢマッピング規則が反射マッピングと関連しているかどうかを判断することができる。
【０１０９】
ステップＳ９３０において、ＣＵが修正されたＱｏＳフロー対ＤＲＢマッピング規則が反射マッピングと関連していないと判断する場合、ＣＵは、前記修正されたＱｏＳフロー対ＤＲＢマッピング規則をＵＥに送信する。前記修正されたＱｏＳフロー対ＤＲＢマッピング規則は、ＤＵを介してＵＥに送信されることができる。例えば、前記修正されたＱｏＳフロー対ＤＲＢマッピング規則は、ＤＬ  ＲＲＣメッセージ送信メッセージに含まれることによってＣＵからＤＵに送信されることができ、ＲＲＣ再構成メッセージに含まれることによってＤＵからＵＥに送信されることができる。一方、ＣＵが、前記修正されたＱｏＳフロー対ＤＲＢマッピング規則が反射マッピングと関連していると判断する場合、ＣＵは、前記修正されたＱｏＳフロー対ＤＲＢマッピング規則をＵＥに送信しない。
【０１１０】
本発明の一実施例によると、ＣＵは、ダウンリンク及び／またはアップリンクトラフィック状況のような現在状況に基づいて確立された一つ以上のＤＲＢまたはＱｏＳフローに対するＱｏＳフロー対ＤＲＢマッピング規則を修正することができる。また、ＣＵは、前記修正されたＱｏＳフロー対ＤＲＢマッピング規則が反射マッピングと関連していない場合にのみ、前記修正されたＱｏＳフロー対ＤＲＢマッピング規則をＵＥに送信できる。したがって、ユーザ経験が改善されることができ、ＲＡＮノードは、特定ＵＥに対するデータパケットを一層良く処理することができる。
【０１１１】
図１０ａ及び図１０ｂは、本発明の一実施例に係るＣＰ−ＵＰ分離の場合においてＱｏＳフロー対ＤＲＢマッピング規則を修正する手順を示す。
【０１１２】
ｇＮＢ−ＣＵの制御平面部分は、ＣＵ−ＣＰと呼ばれることができ、ｇＮＢ−ＣＵのユーザ平面部分は、ＣＵ−ＵＰと呼ばれることができる。ｇＮＢ−ＤＵは、ＤＵと呼ばれることができる。
【０１１３】
図１０ａを参照すると、Ｓ１０００ステップにおいて、ＵＥは、ＲＲＣ＿ＣＯＮＮＥＣＴＥＤモードである。
【０１１４】
ステップＳ１００１において、ＣＵ−ＵＰは、現在状況に基づいて確立された一つ以上のＤＲＢまたはＱｏＳフローに対するＱｏＳフロー対ＤＲＢマッピング規則を修正することを決定することができる。例えば、ＣＵ−ＵＰは、Ｆ１−Ｕ及び／またはＮＧ−Ｕ上でのダウンリンクトラフィック及び／またはアップリンクトラフィックに基づいてＱｏＳフロー対ＤＲＢマッピング規則を修正することを決定することができる。
【０１１５】
ステップＳ１００２において、少なくとも一つのＤＲＢに対する設定がマッピング規則を修正するために必要な場合、ＣＵ−ＵＰは、ベアラ修正要求メッセージ、既存メッセージ、または新しいメッセージをＣＵ−ＣＰに送信できる。その代案として、確立されたＤＲＢ（ら）に対するＬ１／Ｌ２再構成がマッピング規則を修正するために必要な場合、ＣＵ−ＵＰは、ベアラ修正要求メッセージ、既存メッセージ、または新しいメッセージをＣＵ−ＣＰに送信できる。その代案として、確立されたＤＲＢ（ら）に対するＬ１／Ｌ２再構成と少なくとも一つのＤＲＢに対する設定が、マッピング規則を修正するために必要な場合、ＣＵ−ＵＰは、ベアラ修正要求メッセージ、既存メッセージ、または新しいメッセージをＣＵ−ＣＰに送信できる。ベアラ修正要求メッセージは、ＱｏＳフロー表示子及び／またはＱｏＳフローレベルＱｏＳパラメータを有するＤＲＢ  ｔｏ  ｂｅ  Ｓｅｔｕｐ  Ｌｉｓｔ及び／またはＤＲＢ  ｔｏ  ｂｅ  Ｍｏｄｉｆｉｅｄ  Ｌｉｓｔを含むことができる。前記ＤＲＢ  ｔｏ  ｂｅ  Ｓｅｔｕｐ  Ｌｉｓｔは、設定されるＤＲＢの少なくとも一つの識別子を含むことができる。前記ＤＲＢ  ｔｏ  ｂｅ  Ｍｏｄｉｆｉｅｄ  Ｌｉｓｔは、修正されるＤＲＢの少なくとも一つの識別子を含むことができる。ＱｏＳフロー表示子は、ＰＤＵセッション内のＱｏＳフローを識別することができる。ＱｏＳフローレベルＱｏＳパラメータは、ＱｏＳフローまたはＤＲＢに適用されるＱｏＳを定義することができる。ＱｏＳフロー表示子は、表２のように定義されることができる。ＱｏＳフローレベルＱｏＳパラメータは、表３のように定義されることができる。
【０１１６】
【表２】
0006935585.tif 000003
【０１１７】
【表３】
0006935585.tif 000004
【０１１８】
ステップＳ１００３において、ＣＵ−ＵＰからベアラ修正要求メッセージを受信する場合、ＣＵ−ＣＰは、受信されたＤＲＢ  ｔｏ  ｂｅ  Ｓｅｔｕｐ  Ｌｉｓｔ及び／またはＤＲＢ  ｔｏ  ｂｅ  Ｍｏｄｉｆｉｅｄ  Ｌｉｓｔに基づいて一つ以上のＤＲＢに対する設定及びＬ１／Ｌ２再構成を要求するために、ＵＥコンテキスト修正要求メッセージ、既存メッセージ、または新しいメッセージをＤＵに送信できる。
【０１１９】
ステップＳ１００４において、ＣＵ−ＣＰからＵＥコンテキスト修正要求メッセージを受信する場合、ＤＵは、ＵＥに対して要求されたＤＲＢ（ら）を確立することができる。ＤＵは、確立要求されたＤＲＢ（ら）に対する無線インタフェース上での必要なリソース割当及び／または要求されたＤＲＢ（ら）に対するＬ１／Ｌ２再構成を実行することができる。その次に、ＤＵは、ＵＥコンテキスト修正応答メッセージ、既存メッセージ、または新しいメッセージでＣＵ−ＣＰに応答できる。ＵＥコンテキスト修正応答メッセージは、要求されたＤＲＢ（ら）が確立されるか、または要求されたＤＲＢ（ら）に対するＬ１／Ｌ２再構成が実行されるかを示すためにＣＵ−ＣＰに送信されることができる。
【０１２０】
ステップＳ１００５において、ＤＵからＵＥコンテキスト修正応答メッセージを受信する時、ＣＵ−ＣＰは、ベアラ修正確認メッセージ、既存メッセージ、または新しいメッセージをＣＵ−ＵＰに送信できる。ベアラ修正確認メッセージは、ＤＲＢ  ＩＤ及び／またはＤＲＢ関連ＱｏＳパラメータを有するＤＲＢ  Ｓｅｔｕｐ  Ｌｉｓｔ及び／またはＤＲＢ  Ｍｏｄｉｆｙ  Ｌｉｓｔを含むことができる。
【０１２１】
ステップＳ１００６において、ＱｏＳフロー対ＤＲＢマッピング規則を修正することを決定する時、ＣＵ−ＵＰは、ベアラ修正要求メッセージ、既存メッセージ、または新しいメッセージをＣＵ−ＣＰに送信できる。ベアラ修正要求メッセージは、ＱｏＳフロー当たり修正されたＱｏＳフロー対ＤＲＢマッピング規則、またはＤＲＢレベル当たり修正されたＱｏＳフロー対ＤＲＢマッピング規則を含むことができる。ベアラ修正要求メッセージは、ＣＵ−ＵＰにより提供される修正されたマッピング規則が反射マッピングと関連しているかどうかをＣＵ−ＣＰに知らせる反射マッピング表示を含むことができる。反射マッピング表示は、ＱｏＳフローまたはＤＲＢレベル毎に伝達されることができる。
【０１２２】
ステップＳ１００７において、ＣＵ−ＵＰからベアラ修正要求メッセージを受信する場合、ＣＵ−ＣＰは、修正されたＱｏＳフローをＣＵ−ＵＰから受信されたＤＲＢマッピング規則に格納することができる。ＱｏＳフローまたはＤＲＢに対する受信された反射マッピング表示によって、修正されたマッピング規則が反射マッピングと関連していない場合、ＣＵ−ＣＰは、修正されたマッピング規則をＵＥに提供することを準備することができる。修正されたマッピング規則は、ＲＲＣメッセージを介してＵＥに提供されることができる。一方、修正されたマッピング規則が反射マッピングと関連している場合、ＣＵ−ＣＰは、修正されたマッピング規則をＵＥに提供しない。
【０１２３】
ステップＳ１００８において、ＣＵ−ＣＰは、ベアラ修正確認メッセージ、既存メッセージ、または新しいメッセージでＣＵ−ＵＰに応答できる。その代案として、ベアラ修正確認メッセージは、ステップＳ１０１２後にＣＵ−ＵＰに送信されることができる。
【０１２４】
図１０ｂを参照すると、ステップＳ１００９において、ステップＳ１００６で反射マッピングと関連していない修正されたマッピング規則がＣＵ−ＵＰから受信される場合、ＣＵ−ＣＰは、ＤＬ  ＲＲＣメッセージ送信メッセージをＤＵに送信できる。ＤＬ  ＲＲＣメッセージ送信メッセージは、反射マッピングと関連していない修正されたＱｏＳフロー対ＤＲＢマッピング規則を有するＲＲＣ再構成メッセージを含むことができる。
【０１２５】
ステップＳ１０１０において、ＣＵ−ＣＰからＤＬ  ＲＲＣメッセージ送信メッセージを受信する場合、ＤＵは、反射マッピングと関連していない修正されたＱｏＳフロー対ＤＲＢマッピング規則を有するＲＲＣ再構成メッセージをＵＥに送信できる。
【０１２６】
ステップＳ１０１１において、ＵＥは、ＲＲＣ再構成完了メッセージをＤＵに送信できる。
【０１２７】
ステップＳ１０１２において、ＤＵが無線インタフェースからＣＵ−ＣＰに伝達されるＲＲＣ再構成完了メッセージを受信する場合、ＤＵは、ＲＲＣ再構成完了メッセージを含むＵＬ  ＲＲＣメッセージ送信メッセージをＣＵ−ＣＰに送信できる。
【０１２８】
本発明の一実施例によると、ＣＵ−ＵＰが現在状況、例えば、Ｆ１−Ｕ及び／またはＮＧ−Ｕ上でのダウンリンク及び／またはアップリンクトラフィックに基づいてＱｏＳフロー対ＤＲＢマッピング規則を修正することを決定する時、ＣＵ−ＵＰは、修正されたＱｏＳフロー対ＤＲＢマッピング規則をＣＵ−ＣＰに通知できる。また、ＣＵ−ＵＰは、修正されたＱｏＳフロー対ＤＲＢマッピング規則が反射マッピングと関連しているかどうかをＣＵ−ＣＰに通知できる。ＱｏＳフロー対ＤＲＢマッピング規則を修正するためにＤＲＢ（ら）に対する設定または修正が必要な場合、ＣＵ−ＵＰは、一つ以上のＤＲＢの確立及び／またはＬ１／Ｌ２再構成をＣＵ−ＣＰに要求できる。したがって、本発明の一実施例によると、ＣＵ−ＵＰは、現在のダウンリンク及び／またはアップリンクトラフィック状況に適した無線リソースを使用するようにＱｏＳフロー対ＤＲＢマッピング規則を修正することができる。また、ユーザ経験が改善されることができ、ＲＡＮノードは、特定ＵＥに対するデータパケットを一層良く処理することができる。
【０１２９】
図１１は、本発明の一実施例に係るＣＰ−ＵＰ分離の場合においてＱｏＳフロー対ＤＲＢマッピング規則を修正する手順を示す。
【０１３０】
図１１を参照すると、Ｓ１１００ステップにおいて、ＵＥは、ＲＲＣ＿ＣＯＮＮＥＣＴＥＤモードである。
【０１３１】
ステップＳ１１０１において、ＣＵ−ＵＰは、現在状況、例えば、Ｆ１−Ｕ及び／またはＮＧ−Ｕ上でのダウンリンク及び／またはアップリンクトラフィックによって、確立された一つ以上のＤＲＢまたはＱｏＳフローに対するＱｏＳフロー対ＤＲＢマッピング規則の修正をＣＵ−ＣＰに要求することに決定できる。
【０１３２】
ステップＳ１１０２において、ＣＵ−ＵＰは、ベアラ修正要求メッセージ、既存メッセージ、または新しいメッセージをＣＵ−ＣＰに送信できる。ベアラ修正要求メッセージは、ＱｏＳ要求を満たさない再マッピング表示及び／またはＱｏＳフロー（ら）を含むことができる。ＱｏＳフロー（ら）は、ＱｏＳフロー対ＤＲＢ再マッピングを要求するための表示または情報である。
【０１３３】
ステップＳ１１０３において、ＣＵ−ＵＰからベアラ修正要求メッセージを受信する場合、ＣＵ−ＣＰは、受信されたＱｏＳフロー（ら）に基づいてＱｏＳフロー対ＤＲＢマッピング規則を修正することを実行することができる。その次に、ＣＵ−ＣＰは、ＵＥコンテキスト修正要求メッセージ、既存メッセージ、または新しいメッセージをＤＵに送信できる。ＵＥコンテキスト修正要求メッセージは、修正されたＱｏＳフロー対ＤＲＢマッピング規則に基づいて一つ以上のＤＲＢの設定及び／またはＬ１／Ｌ２再構成を要求するために送信されることができる。
【０１３４】
ステップＳ１１０４において、ＣＵ−ＣＰからＵＥコンテキスト修正要求メッセージを受信する場合、ＤＵは、ＵＥに対して要求されたＤＲＢ（ら）を確立し、確立要求されたＤＲＢ（ら）に対する無線インタフェース上での必要なリソース割当、及び／または要求されたＤＲＢ（ら）に対するＬ１／Ｌ２再構成を実行する。その次に、ＤＵは、ＵＥコンテキスト修正応答メッセージ、既存メッセージ、または新しいメッセージでＣＵ−ＣＰに応答できる。ＵＥコンテキスト修正応答メッセージは、要求されたＤＲＢ（ら）が確立されるか、または要求されたＤＲＢ（ら）に対するＬ１／Ｌ２再構成が実行されるかを示すためにＣＵ−ＣＰに送信されることができる。
【０１３５】
ステップＳ１１０５において、ＤＵからＵＥコンテキスト修正応答メッセージを受信する時、ＣＵ−ＣＰは、ベアラ修正確認メッセージ、既存メッセージ、または新しいメッセージをＣＵ−ＵＰに送信できる。ベアラ修正確認メッセージは、修正されたＱｏＳフロー対ＤＲＢマッピング規則及び／または該当ＤＲＢ構成を含むことができる。その代案として、ステップＳ１１０２でＣＵ−ＣＰがベアラ修正要求メッセージを受信した後、ベアラ修正確認メッセージは、ＣＵ−ＵＰに送信されることができる。即ち、ＣＵ−ＣＰがＱｏＳフロー対ＤＲＢマッピング規則を修正した後、ステップＳ１１０３でＵＥコンテキスト修正要求メッセージを送信する前に、ベアラ修正確認メッセージがＣＵ−ＵＰに送信されることができる。
【０１３６】
ステップＳ１１０６において、ＣＵ−ＣＰからベアラ修正確認メッセージを受信する場合、ＣＵ−ＵＰは、修正されたＱｏＳフロー対ＤＲＢマッピング規則を格納することができる。その次に、ＣＵ−ＵＰは、ＣＵ−ＣＰにより修正されたＱｏＳフロー対ＤＲＢマッピング規則に基づいてＱｏＳフロー対ＤＲＢマッピングを実行することができる。
【０１３７】
ステップＳ１１０７において、修正されたマッピング規則が反射マッピングと関連していない場合、ＣＵ−ＣＰは、ＤＬ  ＲＲＣメッセージ送信メッセージをＤＵに送信できる。ＤＬ  ＲＲＣメッセージ送信メッセージは、反射マッピングと関連していない修正されたＱｏＳフロー対ＤＲＢマッピング規則を有するＲＲＣ再構成メッセージを含むことができる。
【０１３８】
ステップＳ１１０８において、ＣＵ−ＣＰからＤＬ  ＲＲＣメッセージ送信メッセージを受信する場合、ＤＵは、反射マッピングと関連していない修正されたＱｏＳフロー対ＤＲＢマッピング規則を有するＲＲＣ再構成メッセージをＵＥに送信できる。
【０１３９】
ステップＳ１１０９において、ＵＥは、ＲＲＣ再構成完了メッセージをＤＵに送信できる。
【０１４０】
ステップＳ１１１０において、ＤＵが無線インタフェースからＣＵ−ＣＰに伝達されるＲＲＣ再構成完了メッセージを受信する場合、ＤＵは、ＲＲＣ再構成完了メッセージを含むＵＬ  ＲＲＣメッセージ送信メッセージをＣＵ−ＣＰに送信できる。
【０１４１】
本発明の一実施例によると、ＣＵ−ＣＰは、ＣＵ−ＵＰから指示になったＱｏＳ要求を満たさないＱｏＳフロー（ら）に基づいてＱｏＳフロー対ＤＲＢマッピング規則を修正することができる。したがって、本発明の一実施例によると、ユーザ経験が改善されることができ、ＲＡＮノードは、特定ＵＥに対するデータパケットを一層良く処理することができる。
【０１４２】
図１２は、本発明の一実施例に係る基地局（ＢＳ）の中央ユニット（ＣＵ）によりＱｏＳフロー対ＤＲＢマッピング規則を修正する方法を示す。本発明の実施例は、ＢＳ側に対し適用されることができる。
【０１４３】
図１２を参照すると、ステップＳ１２１０において、ＣＵは、ＱｏＳフロー対ＤＲＢマッピング規則を修正することができる。
【０１４４】
ステップＳ１２２０において、ＣＵは、修正されたＱｏＳフロー対ＤＲＢマッピング規則が反射マッピングと関連しているかどうかを判断することができる。
【０１４５】
ステップＳ１２３０において、修正されたＱｏＳフロー対ＤＲＢマッピング規則が反射マッピングと関連していないと判断される場合、ＣＵは、前記修正されたＱｏＳフロー対ＤＲＢマッピング規則をユーザ端末（ＵＥ）に送信できる。その代案として、前記修正されたＱｏＳフロー対ＤＲＢマッピング規則が反射マッピングと関連していると判断される場合、前記修正されたＱｏＳフロー対ＤＲＢマッピング規則は、送信されない。
【０１４６】
ＣＵは、ＣＵ−ＣＰ及び少なくとも一つのＣＵ−ＵＰを含むことができる。ＣＵ−ＣＰは、ＣＵのＲＲＣプロトコル及びＰＤＣＰプロトコルの制御平面部分をホスティングする論理ノードであり、少なくとも一つのＣＵ−ＵＰは、ＣＵのＰＤＣＰプロトコルのユーザ平面部分及びＳＤＡＰプロトコルをホスティングする論理ノードである。
【０１４７】
ＱｏＳフロー対ＤＲＢマッピング規則を修正するための情報は、少なくとも一つのＣＵ−ＵＰからＣＵ−ＣＰに送信されることができる。ＱｏＳフロー対ＤＲＢマッピング規則は、前記情報に基づいてＣＵ−ＣＰにより修正されることができる。修正されたＱｏＳフロー対ＤＲＢマッピング規則は、ＣＵ−ＣＰから少なくとも一つのＣＵ−ＵＰに送信されることができる。前記情報は、ＱｏＳ要求を満たさない少なくとも一つのＱｏＳフローを含むことができる。ＱｏＳフロー対ＤＲＢマッピング規則は、前記少なくとも一つのＱｏＳフローに基づいてＣＵ−ＣＰにより修正されることができる。
【０１４８】
修正されたＱｏＳフロー対ＤＲＢマッピング規則は、ＢＳの分散ユニット（ＤＵ）を介してＵＥに送信されることができる。修正されたＱｏＳフロー対ＤＲＢマッピング規則は、ＤＬ  ＲＲＣメッセージ送信メッセージに含まれることによってＤＵに送信されることができる。修正されたＱｏＳフロー対ＤＲＢマッピング規則は、ＲＲＣ再構成メッセージに含まれることによってＵＥに送信されることができる。ＣＵは、ＢＳのＲＲＣ、ＳＤＡＰ、及びＰＤＣＰプロトコルをホスティングする論理ノードであり、ＤＵは、ＢＳのＲＬＣ、ＭＡＣ、及びＰＨＹ階層をホスティングする論理ノードである。
【０１４９】
図１３は、本発明の一実施例を具現するためのＢＳを示す。本発明の実施例は、ＢＳ側に対して適用されることができる。
【０１５０】
ＢＳ１３００は、プロセッサ１３１０、メモリ１３２０、及び送受信機１３３０を含む。プロセッサ１３１０は、本明細書で提案された機能、手順、及び／または方法を具現するように構成されることができる。無線インタフェースプロトコルの階層は、プロセッサ１３１０内で具現されることができる。
【０１５１】
具体的に、前記プロセッサ１３１０は、ＱｏＳフロー対ＤＲＢマッピング規則を修正することができる。
【０１５２】
また、前記プロセッサ１３１０は、修正されたＱｏＳフロー対ＤＲＢマッピング規則が反射マッピングと関連しているかどうかを判断することができる。
【０１５３】
また、修正されたＱｏＳフロー対ＤＲＢマッピング規則が反射マッピングと関連していないと判断される場合、前記プロセッサ１３１０は、前記修正されたＱｏＳフロー対ＤＲＢマッピング規則を送受信機１５３０に送信するように前記送受信機１３３０を制御することができる。その代案として、前記修正されたＱｏＳフロー対ＤＲＢマッピング規則が反射マッピングと関連していると判断される場合、前記修正されたＱｏＳフロー対ＤＲＢマッピング規則は、送信されない。
【０１５４】
ＣＵは、ＣＵ−ＣＰ及び少なくとも一つのＣＵ−ＵＰを含むことができる。ＣＵ−ＣＰは、ＣＵのＲＲＣプロトコル及びＰＤＣＰプロトコルの制御平面部分をホスティングする論理ノードであり、少なくとも一つのＣＵ−ＵＰは、ＣＵのＰＤＣＰプロトコルのユーザ平面部分及びＳＤＡＰプロトコルをホスティングする論理ノードである。
【０１５５】
ＱｏＳフロー対ＤＲＢマッピング規則を修正するための情報は、少なくとも一つのＣＵ−ＵＰからＣＵ−ＣＰに送信されることができる。ＱｏＳフロー対ＤＲＢマッピング規則は、前記情報に基づいてＣＵ−ＣＰにより修正されることができる。修正されたＱｏＳフロー対ＤＲＢマッピング規則は、ＣＵ−ＣＰから少なくとも一つのＣＵ−ＵＰに送信されることができる。前記情報は、ＱｏＳ要求を満たさない少なくとも一つのＱｏＳフローを含むことができる。ＱｏＳフロー対ＤＲＢマッピング規則は、前記少なくとも一つのＱｏＳフローに基づいてＣＵ−ＣＰにより修正されることができる。
【０１５６】
修正されたＱｏＳフロー対ＤＲＢマッピング規則は、ＢＳの分散ユニット（ＤＵ）を介してＵＥに送信されることができる。修正されたＱｏＳフロー対ＤＲＢマッピング規則は、ＤＬ  ＲＲＣメッセージ送信メッセージに含まれることによってＤＵに送信されることができる。修正されたＱｏＳフロー対ＤＲＢマッピング規則は、ＲＲＣ再構成メッセージに含まれることによってＵＥに送信されることができる。ＣＵは、ＢＳのＲＲＣ、ＳＤＡＰ、及びＰＤＣＰプロトコルをホスティングする論理ノードであり、ＤＵは、ＢＳのＲＬＣ、ＭＡＣ、及びＰＨＹ階層をホスティングする論理ノードである。
【０１５７】
前記メモリ１３２０は、前記プロセッサ１３１０と動作可能に連結され、前記プロセッサ１３１０を動作させるための多様な情報を格納する。前記送受信機１３３０は、前記プロセッサ１３１０と動作可能に連結され、無線信号を送信及び／または受信する。
【０１５８】
図１４は、本発明の一実施例に係る修正されたＱｏＳフロー対ＤＲＢマッピング規則をＵＥにより受信する方法を示す。本発明の実施例は、ＵＥ側に対して適用されることができる。
【０１５９】
図１４を参照すると、ステップＳ１４１０において、ＵＥは、基地局（ＢＳ）の中央ユニット（ＣＵ）から前記修正されたＱｏＳフロー対ＤＲＢマッピング規則を受信することができる。前記修正されたＱｏＳフロー対ＤＲＢマッピング規則は、反射マッピングと関連していない。
【０１６０】
図１５は、本発明の一実施例を具現するためのＵＥを示す。本発明の実施例は、ＵＥ側に対して適用されることができる。
【０１６１】
ＵＥ１５００は、プロセッサ１５１０、メモリ１５２０、及び送受信機１５３０を含む。プロセッサ１５１０は、本明細書で提案された機能、手順、及び／または方法を具現するように構成されることができる。無線インタフェースプロトコルの階層は、プロセッサ１５１０内で具現されることができる。
【０１６２】
具体的に、プロセッサ１５１０は、前記送受信機１３３０から前記修正されたＱｏＳフロー対ＤＲＢマッピング規則を受信するように送受信機１５３０を制御することができる。前記修正されたＱｏＳフロー対ＤＲＢマッピング規則は、反射マッピングと関連していない。
【０１６３】
前記メモリ１５２０は、前記プロセッサ１５１０と動作可能に連結され、前記プロセッサ１５１０を動作させるための多様な情報を格納する。前記送受信機１５３０は、前記プロセッサ１５１０と動作可能に連結され、無線信号を送信及び／または受信する。
【０１６４】
前記プロセッサ１３１０、１５１０は、ａｐｐｌｉｃａｔｉｏｎ−ｓｐｅｃｉｆｉｃ  ｉｎｔｅｇｒａｔｅｄ  ｃｉｒｃｕｉｔ（ＡＳＩＣ）、別途のチップセット、論理回路、及び／またはデータ処理部を含むことができる。前記メモリ１３２０、１５２０は、Ｒｅａｄ−Ｏｎｌｙ  Ｍｅｍｏｒｙ（ＲＯＭ）、ｒａｎｄｏｍ  ａｃｃｅｓｓ  ｍｅｍｏｒｙ（ＲＡＭ）、フラッシュメモリ、メモリカード、格納媒体、及び／または他の等価格納装置を含むことができる。前記送受信機１３３０、１５３０は、無線信号を処理するための基底帯域回路を含むことができる。実施例がソフトウェアで具現される時、前述した方法は、前述した機能を遂行するためのモジュール（即ち、プロセス、機能など）で具現されることができる。前記モジュールは、メモリに格納されることができ、前記プロセッサ１３１０、１５１０により実行されることができる。前記メモリ１３２０、１５２０は、前記プロセッサ１３１０、１５１０の内部または外部に位置でき、よく知られた多様な手段を利用して前記プロセッサ１３１０、１５１０に連結されることができる。
【０１６５】
本明細書に説明された例示的なシステムを考慮して、開示された内容によって具現されることができる方法論が多様なフロー図を参照して説明された。簡略化のために、方法論は、一連のステップまたはブロックで図示されて説明されたが、請求された内容は、ステップまたはブロックの順序により制限されるものではなく、一部ステップは、本明細書に図示されて説明されたことと異なる順序に、または他のステップと同時に発生できることを理解することができる。さらに、当業者であれば、フロー図に図示されたステップが排他的でなくて、他のステップが含まれることができ、または例示的なフロー図の一つ以上のステップが本開示の範囲に影響を与えずに削除可能であることを理解することができる。
【図１】
0006935585.tif 000005
【図２】
0006935585.tif 000006
【図３】
0006935585.tif 000007
【図４】
0006935585.tif 000008
【図５】
0006935585.tif 000009
【図６】
0006935585.tif 000010
【図７】
0006935585.tif 000011
【図８】
0006935585.tif 000012
【図９】
0006935585.tif 000013
【図１０ａ】
0006935585.tif 000014
【図１０ｂ】
0006935585.tif 000015
【図１１】
0006935585.tif 000016
【図１２】
0006935585.tif 000017
【図１３】
0006935585.tif 000018
【図１４】
0006935585.tif 000019
【図１５】
0006935585.tif 000020